(57)【要約】【課題】小型動物の皮下に植え込んでもストレスを与えず、かつ所定の通信距離を確保することができる生体植込み用ＲＦＩＤタグを提供する。【解決手段】長さ７ｍｍで幅２．４ｍｍのインレットフィルム２ａの表面に、長さ６ｍｍで幅１．５ｍｍのアンテナ３を蒸着してスリット４を形成する。さらに、スリット４を跨いでＩＣチップ５をアンテナ３上に搭載してインレットを構成する。そして、長さ７ｍｍで直径０．８ｍｍの樹脂性の軸１１の長手方向に合わせてインレットを巻く。次に、長さが１１ｍｍ程度で直径１ｍｍの樹脂性の外皮カバー１２の内部へ、軸１１に巻きつけられたインレットを挿入する。さらに、軸１１及びインレットが挿入された外皮カバー１２を図示しないヒータ加熱筒に通過させて熱融着させコーティングする。これにより、長さ７ｍｍで直径１ｍｍの超小型な生体植込み用ＲＦＩＤタグ９が実現する。【選択図】図７
2008043302.tif 000002
【特許請求の範囲】
【請求項１】
動物の生体に植え込み、無線通信によって当該動物に関する情報管理を行う生体植込み用ＲＦＩＤタグであって、
樹脂性の可撓性素材からなるフィルム上にインピーダンスマッチング用のスリットを有するアンテナが配置されると共にＩＣチップが搭載されたインレットと、
樹脂性の可撓性素材からなり、前記インレットを自己の外周に貼付する棒材と、
樹脂性の生体親和性素材からなり、前記棒材の外周に貼付された前記インレットを覆うようにコーティングされた外皮カバーと
によって構成されていることを特徴とする生体植込み用ＲＦＩＤタグ。
【請求項２】
前記動物は体長が１０ｃｍ程度以下の小型動物であって、前記体長の１０％以下となる長さ、及び前記体長の１．５％以下となる直径または幅を有することを特徴とする請求項１に記載の生体植込み用ＲＦＩＤタグ。
【請求項３】
長さが７ｍｍ以下であり、前記直径または前記幅が１ｍｍ以下であることを特徴とする請求項１に記載の生体植込み用ＲＦＩＤタグ。
【請求項４】
前記棒材は、前記ＩＣチップが突出しないように当該ＩＣチップを収納する凹部を形成していることを特徴とする請求項１に記載の生体植込み用ＲＦＩＤタグ。
【請求項５】
前記棒材は、前記ＩＣチップが突出しないように、自己の長手方向全体に亘って当該ＩＣチップの厚さ分だけ切削されていることを特徴とする請求項１に記載の生体植込み用ＲＦＩＤタグ。
【請求項６】
前記棒材は中心部が空洞になっていることを特徴とする請求項１に記載の生体植込み用ＲＦＩＤタグ。
【請求項７】
前記インレットと前記棒材と前記外皮カバーは熱融着されていることを特徴とする請求項１乃至請求項６のいずれか１項に記載の生体植込み用ＲＦＩＤタグ。
【請求項８】
樹脂性の可撓性素材からなるフィルム上にインピーダンスマッチング用のスリットを有するアンテナが配置されると共にＩＣチップが搭載され、円筒状に形成されたインレットと、
樹脂性の生体親和性素材からなり、円筒状に形成された前記インレットを覆うようにコーティングされた外皮カバーと
によって構成されていることを特徴とする生体植込み用ＲＦＩＤタグ。
【請求項９】
前記インレットと前記外皮カバーは熱融着されていることを特徴とする請求項８に記載の生体植込み用ＲＦＩＤタグ。
【請求項１０】
前記外皮カバーは、前記インレットが変形したときに前記アンテナの両端部分が短絡しないような変形状態となるように、外周上における１箇所以上の位置に所定の深さの溝を形成していることを特徴とする請求項８または請求項９に記載の生体植込み用ＲＦＩＤタグ。
【請求項１１】
Ｕ字型のプリント基板で形成され、動物の生体に植え込んで無線通信により当該動物に関する情報管理を行う生体植込み用ＲＦＩＤタグであって、
前記プリント基板は、
インピーダンスマッチング用のスリットを有するアンテナが配置されると共にＩＣチップが搭載され、先端部分が尖鋭に形成された針状部を有する基板部と、
前記基板部を把持するための把持部と
を備えることを特徴とする生体植込み用ＲＦＩＤタグ。
【請求項１２】
前記基板部の付根部分には当該基板部を切断しやすくするための溝が形成されていることを特徴とする請求項１１に記載の生体植込み用ＲＦＩＤタグ。
【請求項１３】
前記把持部の内側エッジと前記基板部の内側エッジとによって、前記基板部を前記動物の生体に植え込んだときに皮下植え込み深さが規制されることを特徴とする請求項１１または請求項１２に記載の生体植込み用ＲＦＩＤタグ。
【請求項１４】
前記基板部の内側エッジは、前記把持部の内側エッジに対して、針状部に行くにしたがって僅かに広がるように形成されていることを特徴とする請求項１３に記載の生体植込み用ＲＦＩＤタグ。
【請求項１５】
前記アンテナは前記針状部の末端位置と前記溝との間に形成され、当該アンテナの長さは７ｍｍ以下、幅は１ｍｍ以下であることを特徴とする請求項１１乃至請求項１４のいずれか１項に記載の生体植込み用ＲＦＩＤタグ。
【請求項１６】
前記ＩＣチップは、データの書き換えが不可能なＲＯＭ型チップで構成されていることを特徴とする請求項３乃至請求項１５のいずれか１項に記載の生体植込み用ＲＦＩＤタグ。
【請求項１７】
無線通信によって動物の情報管理を行う生体植込み用ＲＦＩＤタグを当該動物の生体に植え込むための挿入冶具体であって、
生体植込み用ＲＦＩＤタグを収納する筒状孔を有する注射針と、
前記筒状孔に挿入された前記生体植込み用ＲＦＩＤタグを前記注射針の先端から放出させるピストンと、
少なくとも前記生体植込み用ＲＦＩＤタグと前記注射針の先端部分を収納するカバーと
を備えることを特徴とする挿入冶具体。
【請求項１８】
無線通信によって動物の情報管理を行う生体植込み用ＲＦＩＤタグを当該動物の生体に植え込むための挿入冶具体であって、
生体植込み用ＲＦＩＤタグを収納する筒状孔を有する注射針と、
前記筒状孔に挿入された前記生体植込み用ＲＦＩＤタグを前記注射針の先端から放出させるピストンと、
前記生体植込み用ＲＦＩＤタグと前記注射針と前記ピストンとを収納するブリスタ包装容器と
を備えることを特徴とする挿入冶具体。
【請求項１９】
無線通信によって動物の情報管理を行う生体植込み用ＲＦＩＤタグを当該動物の生体に植え込むための挿入冶具体であって、
生体植込み用ＲＦＩＤタグに一体的に結合された針付き縫合糸
を備えることを特徴とする挿入冶具体。
【請求項２０】
Ｕ字型のプリント基板で形成され、無線通信によって動物の情報管理を行う生体植込み用ＲＦＩＤタグを当該動物の生体に植え込むための挿入冶具体であって、
インピーダンスマッチング用のスリットを有するアンテナが配置されると共にＩＣチップが搭載された前記生体植込み用ＲＦＩＤタグを備え、先端部分が尖鋭に形成された針状部を有すると共に付根部分に溝を有する基板部と、
前記基板部を把持すると共に、当該基板部を前記動物の生体に植え込むときに皮下植え込み深さを規制する把持部と
を備えることを特徴とする挿入冶具体。
【発明の詳細な説明】
【技術分野】
【０００１】
本発明は、ＩＣチップに記録された情報を無線で送信するＲＦＩＤ(Radio Frequency Identification)タグなどに関し、特に、動物の生体に植え込んで情報管理等に利用される生体植込み用ＲＦＩＤタグ及びその挿入冶具体に関する。
【背景技術】
【０００２】
近年、ペット、家畜、実験用動物などを管理するために、ＲＦＩＤタグが広く利用されている。このようなＲＦＩＤタグはＩＣチップと小型アンテナとによって構成されていて、ＩＣチップに記録されているＩＤ（Identification：識別情報）などを小型アンテナからＲＦ（Radio Frequency：無線周波数）で送信することができるので、タグリーダによってＩＣチップに記録されている情報を非接触で読みとってそれらの動物を管理することができる。このようなＲＦＩＤタグは、動物の生体に植え込んで利用されるので生体植込み用ＲＦＩＤタグなどと呼ばれ、牛や馬などの大型動物から羊、ペンギン、犬、猫などの中型動物にまで広く利用されている。例えば、長さが１２ｍｍで直径が１．６ｍｍ程度の生体植込み用ＲＦＩＤタグが、犬や猫などの中型動物の皮下に植え込まれて情報管理に利用されている（例えば、非特許文献１参照）。
【０００３】
前記した長さ１２ｍｍ×直径１．６ｍｍ程度の大きさのＲＦＩＤタグを体長２０ｃｍ以上の中型動物（例えば、ラットなど）の生体に植え込んだ場合、ＲＦＩＤタグの長さはラットの体長の６％以下であるので、ラットなどはストレスを受けることなく生存し続けることができる。一般に、ＲＦＩＤタグなどの異物を動物の皮下に植え込んだとき、それらの動物がストレスを感じないで生存し続けることができるＲＦＩＤタグの大きさは、長さ方向が動物の体長の１０％以下、直径が動物の体長の１．５％以下であると言われている。
【非特許文献１】Terry Watkins "Is the biochip the Mark of the Beast?" [online]. Dial-the-Truth Ministries, 1999. [retrieved on 2006-08-08]. Retrieved from the Internet:URL: http://www.av1611.org/666/biochip.html.
【発明の開示】
【発明が解決しようとする課題】
【０００４】
しかしながら、前記した長さ１２ｍｍ×直径１．６ｍｍ程度の大きさのＲＦＩＤタグを体長１０ｃｍ以下の小型動物の生体に植え込んだ場合は、ＲＦＩＤタグの長さは小型動物の体長の１２％程度になるので、小型動物はストレスを受けて生存し続けることができなくなる。例えば、動物実験などに利用されている小型動物のマウスなどに前記の大きさのＲＦＩＤタグを植え込んだ場合はストレスが大きくて生存することができない。すなわち、マウスの成獣の大きさは、体長が７〜８ｃｍで尾長が７ｃｍ程度であるから、長さ１２ｍｍ×直径１．６ｍｍ程度の大きさのＲＦＩＤタグは、長さがマウスの体長の１７％以上で、直径がマウスの体長の２．２％以上に相当するため、マウスはかなり大きなストレスを受けて長く生存できないことが予想される。
【０００５】
このＲＦＩＤタグは、コンピュータマイクロチップ、フェライトまたは鉄のコアに銅線を巻回したアンテナコイル、コンデンサ、及びガラスカプセルからなるものであるから、小型化及び軽量化が困難であり、また、可撓性がないため、これを植え込む小型動物に大きなストレスを与え、寿命を大幅に短くしてしまう問題点があった。
【０００６】
本発明は、以上のような問題点に鑑みてなされたものであり、マウスのような小型動物の皮下に植え込んでもそれらの小型動物にストレスを与えることがないと共に、所定の通信距離を確保することができるような生体植込み用ＲＦＩＤタグと、その生体植込み用ＲＦＩＤタグを動物の生体に挿入するための挿入冶具体を提供すること目的とする。
【課題を解決するための手段】
【０００７】
前記の目的を達成するために、本発明の生体植込み用ＲＦＩＤタグは、動物の生体に植え込み、無線通信によってその動物に関する情報管理を行う生体植込み用ＲＦＩＤタグであって、樹脂性の可撓性素材からなるフィルム上にインピーダンスマッチング用のスリットを有するアンテナが配置されると共にＩＣチップが搭載されたインレットと、樹脂性の可撓性素材からなり、インレットを自己の外周に貼付する棒材と、樹脂性の生体親和性素材からなり、棒材の外周に貼付されたインレットを覆うようにコーティングされた外皮カバーとによって構成し、可撓性及び生体親和性を持たせ、マウスなどの小型動物に植え込んでも、ストレスを与えず、また、充分な通信性能を有するようにした。
【０００８】
また、本発明の生体植込み用ＲＦＩＤタグはプリント基板によって実現することもできる。すなわち、Ｕ字型のプリント基板で形成され、動物の生体に植え込んで無線通信によりその動物に関する情報管理を行う生体植込み用ＲＦＩＤタグであって、プリント基板は、インピーダンスマッチング用のスリットを有するアンテナが配置されると共にＩＣチップが搭載され、先端部分が尖鋭に形成された針状部を有する基板部と、基板部を把持するための把持部とを備えた構成となっている。さらに、基板部の付根部分には基板部を切断しやすくするための溝が形成されている。なお、把持部の内側エッジと基板部の内側エッジとによって、基板部（つまり、生体植込み用ＲＦＩＤタグ）を動物の生体に植え込んだときに皮下植え込み深さが規制されるようになっている。
【発明の効果】
【０００９】
本発明によれば、マウスなどのような小型動物に植え込んでも、ストレスを与えず、また、充分な通信性能を有する生体植込み用ＲＦＩＤタグ及びその挿入冶具体を提供できる。
【発明を実施するための最良の形態】
【００１０】
《発明の概要》
以下、図面を参照しながら、本発明を実施するための最良の形態（以下「実施形態」という）に係る生体植込み用ＲＦＩＤタグについて好適な例をあげて説明するが、理解を容易にするために、まず、本発明における生体植込み用ＲＦＩＤタグの概要について説明する。
【００１１】
本発明では、マウスなどの小型動物の皮下に植え込むことが可能な超小型の生体植込み用ＲＦＩＤタグを提供する。すなわち、マウスの成獣の大きさは体長が７〜８ｃｍで、尾長が７ｃｍ程度であるので、マウスの皮下に植え込んでもそのマウスがストレスを受けない生体植込み用ＲＦＩＤタグの大きさは、長さがマウスの体長の１０％以下で直径がマウスの体長の１．５％以下とすると、直径１ｍｍ×長さ７ｍｍ以下とする必要がある。
【００１２】
直径１ｍｍ×長さ７ｍｍの生体植込み用ＲＦＩＤタグは、長さ６ｍｍ×幅１．５ｍｍの超小型アンテナに０．５ｍｍ角のＩＣチップ（ミューチップ（登録商標））を搭載して、可撓性素材からなる樹脂棒の長手方向にその超小型アンテナを巻き付けるように配置した構成となっている。なお、この超小型アンテナは、インピーダンスマッチング用のスリットが形成されているので、超小型であっても所定の通信距離を確保することができる。例えば、電波の周波数を２．４５ＧＨｚとした場合には数ｍｍの通信距離を確保することができる。
【００１３】
図１に示すように、アンテナ３には、概略直角に屈曲しているＬ字形のスリット４が設けられている。スリット４の一方の直線部は、アンテナ３の幅方向の中央に長軸方向に沿って延伸している。また、スリット４の他方の直線部は、スリット４の一方の直線部の端部から短軸方向に延伸し、アンテナ３の外縁部に開口している。このようにスリット４を設けたことにより、アンテナ３には、インピーダンスマッチング用のスタブが形成される。
【００１４】
ＩＣチップ５の２つの入出力端子（図示せず）のうち、一方は、スリット４によって形成されるアンテナ３のスタブ部分（図１のＩＣチップ５の右下の部分）の先端近傍（ＩＣチップ５に近いところ）に接続され、他方は、アンテナ３のスリット４を挟んで反対側部分に接続されている。つまり、スリット４の幅は、ＩＣチップの端子間隔より狭い程度になっている。このように接続することにより、スリット４によって形成されるアンテナ３のスタブ部分が、直列に接続されているインダクタンス成分として働く。このインダクタンス成分により、ＩＣチップ５内のキャパシタンス成分が相殺され、アンテナ３とＩＣチップ５との入出力インピーダンスがマッチングされる。
【００１５】
なお、通信距離（アンテナ３の放射効率）に着目すると、アンテナ３の電気的な長さは、使用する電波の波長の２分の１にすることが望ましい。例えば、通信周波数を２．４５ＧＨｚとすると、アンテナ長Ｌ２は、５ｃｍから６ｃｍ程度となる。また、ＩＣチップ５の入出力インピーダンスが例えば５０Ωとすると、スリット４のアンテナ３の長手方向に沿った長さ（すなわち、スタブの長さ）を５ｍｍから６ｍｍ程度にし、給電点のインピーダンスをマッチングさせる。このように構成したＲＦＩＤタグ１ａ（図６参照）に対して、５ｃｍから６ｃｍ程度の長さの導電体をアンテナ素子として用いた読取アンテナを具備したタグリーダ（いずれも図示せず）を用いて、数十ｃｍ程度の通信距離を実現できる。
【００１６】
前記のとおりインピーダンスマッチングを行っても、アンテナ長Ｌ２が使用する電波の波長の１／２より充分に短くすると、インピーダンスが所期の状態からずれてしまう。その結果、前記した読取アンテナでは、ＲＦＩＤタグ１ａに密着させたとしても、通信が困難になる。ところが、このＲＦＩＤタグ１ａのアンテナ３に対して、やはり読取アンテナとしてインピーダンスをずらしたものを用意して、この読取アンテナを超小型のアンテナに密着させるか、数ミリメートル以下に近づけると、この読取アンテナと超小型のアンテナとの相互作用が生じ、インピーダンスが整合するようになり、通信が可能になる。
【００１７】
また、ＩＣチップを構成するミューチップ（登録商標）は、放射線や高温によってＩＣ内のデータが消失してしまわないように、書き替え不可能なＲＯＭ型チップとする。さらに、この生体植込み用ＲＦＩＤタグは、小型動物の皮下に植え込むことを考慮して放射線滅菌や高温加熱滅菌に耐えるような構成となっている。また、この生体植込み用ＲＦＩＤタグの表面は動物に対して生体親和性のあるフィルムでコーティングされている。
【００１８】
以下、図面を参照しながら、本発明における生体植込み用ＲＦＩＤタグの実施形態の幾つかについて詳細に説明する。
【００１９】
《第1の実施形態》
図１は、本発明の第１の実施形態に係る生体植込み用ＲＦＩＤタグ９（図５参照）に適用されるインレットテープ１の平面図である。また、図２は、図１に示すインレットテープ１を貼付するための丸棒６の斜視図である。さらに、図３は、図２に示す丸棒６に対して図１に示すインレットテープ１を貼付した状態のＲＦＩＤタグ棒７を示す斜視図である。また、図４（ａ）は図３に示すＲＦＩＤタグ棒７の一断面形状のＡ−Ａ断面図であり、（ｂ）は図３に示すＲＦＩＤタグ棒７の他の断面形状のＡ−Ａ断面図である。さらに、図５は、図３に示すＲＦＩＤタグ棒７に外皮をコーティングした後に切断して形成された本発明の第１の実施形態に係る生体植込み用ＲＦＩＤタグ９であり、（ａ）は斜視図、（ｂ）は(ａ)のＢ−Ｂ断面図である。
【００２０】
図１に示すように、幅Ｗ１が２．４ｍｍの細長いテープ状になった樹脂製のベースフィルム２に対して、アルミなどの金属箔または金属蒸着によって形成された複数のアンテナ３を等間隔で貼付する。これらのアンテナ３は、それぞれ、長さＬ２が６ｍｍで幅Ｗ２が１．５ｍｍであって、インピーダンスマッチング用のスリット４がＬ字状の鉤型に形成され、そのスリット４の鉤の部分（角部分）に０．５ｍｍ角で厚さが０．１ｍｍ程度のＩＣチップ５が表面実装により搭載された構成となっている。なお、アンテナ３に対してインピーダンスマッチング用のスリット４を形成することによってアンテナ特性が向上するので、超小型アンテナであっても所定の通信距離を確保することができる。
【００２１】
なお、ＩＣチップ５は、パッシブ型の無線ＩＣチップである。アンテナ３は、図示しないタグリーダから電磁波を受け、その長手方向に生じる電位差を給電点（前記した接続の箇所）経由でＩＣチップ５へ供給し、この電位差で生じる起電力によって、ＩＣチップ５が動作する。
【００２２】
つまり、図１に示すように、細長いテープ状のインレットテープ１は、ＩＣチップ５を搭載したアンテナ３が、ベースフィルム２の長手方向に対してピッチＬ１が７ｍｍの間隔で複数個配置された構成となっている。なお、ベースフィルム２は、ＰＥＴ（ポリエチレンテレフタレート）やＰＰ（ポリプロピレン）などを熱で融着しやすいようにＰＶＣ（ポリ塩化ビニル）シートを貼り合わせるなどして加工した樹脂製の材料によって形成されている。このように、ＰＥＴ材には、基材のＰＥＴに熱癒着性の高い樹脂シート（図示せず）を貼り付けたものや、熱融着性を有する特別のＰＥＴが利用される。
【００２３】
次に、図２に示すような直径φが０．８ｍｍのＰＥＴやＰＰなどの樹脂製の細長い丸棒６を用意して、図１に示すインレットテープ１を長手方向に巻く。つまり、図３に示すように、細長い丸棒６の長手方向に対して、図１のインレットテープ１を沿わせるようにして巻き付ける。このとき、インレットテープ１のベースフィルム２は、幅方向の両側の端部が重ならない程度に丸棒６の外周に巻き付けられる。なお、ベースフィルム２は熱を加えなくても丸棒６に仮接着され、図３に示すようなＲＦＩＤタグ棒７が形成される。また、丸棒６の直径φを０．６ｍｍにした場合は、インレットテープ１を丸棒６に巻き付けたときにベースフィルム２の幅方向の両側端部が重なるが、アンテナ３の幅方向の両側端部が接触するおそれはない。
【００２４】
このようにして形成されたＲＦＩＤタグ棒７の断面は、図４(ａ)に示すように、丸棒６の外周にベースフィルム２が巻かれ、さらにその外周にアンテナ３が巻かれてその上にＩＣチップ５が搭載された形状となる。したがって、ＲＦＩＤタグ棒７の断面は、ＩＣチップ５の厚さ（高さ）分、すなわち０．１ｍｍだけ突出した形状となる。なお、図４(ｂ)に示すように、丸棒６に凹部６ａを設け、アンテナ３の内周側に設置したＩＣチップ５をこの凹部６ａに収納するようにすれば、ＩＣチップ５が外部に突出するおそれはない。
【００２５】
次に、図３のように形成されたＲＦＩＤタグ棒７の外周に、ＰＥＴやＰＰやエラストマーなどの熱可塑性のフィルムを巻き付けながら、そのＲＦＩＤタグ棒７を図示しないヒータ加熱筒に通過させる。これによって、インレットテープ１のベースフィルム２は丸棒６の外周に強力に接着されると共に、外皮カバー８（図５参照）は熱融着されてＲＦＩＤタグ棒７の外周に確実にコーティングされる。
【００２６】
図３のＲＦＩＤタグ棒７では、外皮カバー８（図５参照）がコーティングされた状態では示されていないが、外皮カバー８がコーティングされたＲＦＩＤタグ棒７をピッチＬ１＝７ｍｍの間隔で切断すると、図５に示すような外皮カバー８のコーティングされた生体植込み用ＲＦＩＤタグ９が形成される。すなわち、図５（ｂ）に示すように、ＰＥＴなどの樹脂性の丸棒６の外周に対して、ベースフィルム２、ＩＣチップ５を搭載したアンテナ３、外皮カバー８がこの順で巻かれた生体植込み用ＲＦＩＤタグ９が形成される。このとき、ＩＣチップ５の突起は外皮カバー８の外周内に収容されるので、ＩＣチップ５が外部に突出するおそれはない。なお、図４（ｂ）のようにＩＣチップ５を丸棒６の凹部６ａに植え込むようにすればさらに好ましい。
【００２７】
前記した構成により、図５に示す生体植込み用ＲＦＩＤタグ９の大きさは、直径が１ｍｍで長さが７ｍｍ程度の極めて小さなものである。また、外皮カバー８は、ポリウレタン、ナイロン、ポリエチレン、フッ素樹脂（テフロン（登録商標）など）、ラテックス、親水性ポリマーなどの生体親和性のある樹脂材料またはゴム材料でコーティングされた状態となっている。したがって、このような小さな生体植込み用ＲＦＩＤタグ９を皮下植え込み用冶具（例えば、注射針）によってマウスなどの小型動物の皮下に植え込んでも、侵襲傷口を小さくすることができるので、傷の治癒が早く、かつ感染などのリスクを低減させることができる。さらには、生体植込み用ＲＦＩＤタグ９の大きさが極めて小さいことと外皮カバー８が生体親和性材料であることとが相俟って、このような生体植込み用ＲＦＩＤタグ９をマウスなどの小型動物の皮下に植え込んでも、マウスなどには殆んどストレスを与えることはない。特に、マウスなどの皮膚の厚さは０．５〜１．０ｍｍ程度であるが、このような皮膚の薄い小型動物に対しても、図５に示すような微小な生体植込み用ＲＦＩＤタグ９を容易に皮下に植え込むことができる。
【００２８】
すなわち、通信周波数を１３０〜２００ｋＨｚ程度の長波帯を使用した場合、その波長は約１５００ｍであって非常に長いものとなる。このような波長の長い長波帯の信号を、長さ１２ｍｍ、直径２ｍｍ程度の容積の従来の生体植込み用ＲＦＩＤタグ９で受信しようとする場合は、フェライトコアの芯に銅線を数百回程度巻きつけてコイルを形成する必要がある。したがって、フェライトコアと銅線が共に金属性の塊となった生体植込み用ＲＦＩＤタグ９が形成されるために、従来の生体植込み用ＲＦＩＤタグ９は、大きさ及び重さの面からマウスなどの小型動物に対しては大きなストレスを与える。しかし、本実施の形態の生体植込み用ＲＦＩＤタグ９は、長さが７ｍｍで直径が１ｍｍ程度の超小型であって、かつ生体親和性のある材料でコーティングされているので、マウスなどの小型動物の生体に植え込んでも、それらの小形動物に殆んどストレスを与えることはない。
【００２９】
《第２の実施形態》
第２の実施形態では、ＲＦＩＤタグ棒に外皮テープを巻き付けるのではなく、ＲＦＩＤタグ棒をストロー状の外皮カバーに挿入して生体植込み用ＲＦＩＤタグを実現する形態について説明する。したがって、第２の実施形態では、ＲＦＩＤタグ棒をストロー状の外皮カバーに挿入し易くするために、長尺もののＲＦＩＤタグ棒を切断して１個ずつの生体植込み用ＲＦＩＤタグを製造するのではなく、１個ずつの長さのＲＦＩＤタグ棒を同じ長さまたはやや長いストロー状の外皮カバーに挿入して、１個の生体植込み用ＲＦＩＤタグを製造する場合について説明する。
【００３０】
図６は、本発明の第２の実施形態に係る生体植込み用ＲＦＩＤタグの製造工程を説明するための構造図である。また、図７は、本発明の第２の実施形態に係る生体植込み用ＲＦＩＤタグであり、図７（ａ）は斜視図、図７（ｂ）は図７(ａ)のＣ−Ｃ断面図である。まず、図６（ａ）に示すように、長さＬ１が７ｍｍで幅Ｗ１が２．４ｍｍのインレットフィルム２ａの表面に、長さＬ２が６ｍｍで幅Ｗ２が１．５ｍｍのアンテナ３を蒸着してスリット４を形成する。スリット４の形成は、インレットフィルム２ａの表面へのアンテナ３の蒸着形成時にマスキングを施すことによって実現することができる。さらに、このスリット４を跨ぐようにしてＩＣチップ５をアンテナ３上に搭載する。このようにして１個ずつのインレット１ａを製造する。
【００３１】
一方、図６（ｂ）に示すような、直径φ２が０．８ｍｍで長さＬ１が７ｍｍの樹脂性の軸１１を準備する。なお、この軸１１にはＩＣチップ５を収納できるような凹部１１ａを形成しておく。そして、第１の実施形態と同様な方法により、この軸１１の長手方向に合わせて図６（ａ）のインレット１ａを巻き付ける。もちろん、ＩＣチップ５が凹部１１ａに収納されるように位置決めをしてインレット１ａを軸１１に巻き付ける必要がある。このとき、加熱しなくてもインレットフィルム２ａは軸１１に仮接着される。
【００３２】
そして、軸１１に巻きつけられたインレット１ａを、図６（ｃ）に示すような直径φ１が１ｍｍで長さが１１ｍｍ程度の樹脂性の外皮カバー１２の内部に挿入する。さらに、軸１１及びインレット１ａが挿入された外皮カバー１２を図示しないヒータ加熱筒に通過させて熱融着させる。これによって、外皮カバー１２の両端が密封されると共に、インレット１ａは軸１１に融着され、インレット１ａの表面は外皮カバー１２によって均一にコーティングされる。もちろん、外皮カバー１２としては、熱可塑性の素材を使用する必要があることは云うまでもない。なお、外皮カバー１２の両端の密封は接着剤を充填することによって実現してもよい。この場合は、外皮カバー１２の長さは軸１１と同じ長さ（すなわち、７ｍｍ）でよい。
【００３３】
なお、図６（ｂ）のように、ＩＣチップ５が当る軸１１の部分のみに凹部１１ａを設けてＩＣチップ５が突出しないように収納する場合は、ＩＣチップ５と凹部１１ａとの位置合わせが必要となる。そこで、図６（ｂ）の破線で示すように、軸１１の長手方向全体をＩＣチップ５の厚さ分だけ削れば、軸１１の長手方向においてはＩＣチップ５の位置合わせが不要となり、軸１１の円周方向の位置合わせのみを行えばよいため、ＩＣチップ５と軸１１の位置合わせが極めて容易になる。
【００３４】
このようにして形成された１個の生体植込み用ＲＦＩＤタグ９は、図７（ａ）に示すような形状及び大きさとなり、直径が１ｍｍで長さが７ｍｍ程度の極めて小さなＲＦＩＤタグである。なお、生体植込み用ＲＦＩＤタグ９の断面形状は、軸１１の凹部１１ａまたは軸１１の長手方向全体に削り取られた部分にＩＣチップ５が搭載されるので、生体植込み用ＲＦＩＤタグ９の円周方向の外形は滑らかな円形となり、生体植込み用ＲＦＩＤタグ９は皮膚の薄いマウスなどの小型動物の皮下に対して一層植え込み易くなる。
【００３５】
《第３の実施形態》
第３の実施形態では、ストロー状の中空軸からなるＲＦＩＤタグ棒を外皮カバーに挿入した生体植込み用ＲＦＩＤタグについて説明する。図８（ａ）は第３の実施形態に適用される中空軸１１ｂの斜視図であり、(ｂ)は中空軸１１ｂのＲＦＩＤタグ棒を外皮カバー１２に挿入した生体植込み用ＲＦＩＤタグ９の断面図である。図８（ａ）に示すような可撓性素材からなる中空軸１１ｂに対して図６（ａ）に示すインレット１ａを巻き付けてから、これらを図６（ｃ）に示す外皮カバー１２に挿入する。
【００３６】
このような構成にすることにより、図８（ｂ）に示すように、中空軸１１ｂのＲＦＩＤタグ棒（つまり、中空軸１１ｂとＩＣチップ５とアンテナ３）を外皮カバー１２の内部に挿入して熱融着すると、ＩＣチップ５の搭載部分において中空軸１１ｂが内部につぶれるため、外皮カバー１２の外周に突起が発生するおそれはなくなる。また、ＩＣチップ５が中空軸１１ｂの外周のどの部分に当っても同様の効果を呈するので、ＩＣチップ５と中空軸１１ｂの位置合わせを行う必要はない。なお、中空軸１１ｂの素材を外皮カバー１２と同じ熱可塑性素材にすることにより、外皮カバー１２の端面開口部を熱融着させるときに中空軸１１ｂと一体的に融合されるため、外皮カバー１２の端面の密封がより確実になる。
【００３７】
また、第３の実施形態の生体植込み用ＲＦＩＤタグ９の別の形態として、軸または中空軸を使用しないで、図６（ａ）に示すようなインレット１ａを筒状に丸めて、図６（ｃ）に示すような外皮カバー１２の内部に挿入する方法もある。すなわち、図６（ａ）において、ＩＣチップ５が内周側に存在するようにしてインレット１ａを筒状に丸めて、図６（ｃ）に示す外皮カバー１２の内部に挿入した後、これらをヒータ加熱筒に通過させて熱融着させる。これによって、ＩＣチップ５の部分は円筒内部側に逃げるので、外皮カバー１２の外周に突起は発生するおそれはなくなる。また、この場合もＩＣチップ５の位置合わせを行う必要はない。
【００３８】
なお、軸または中空軸を使用しない場合は、生体植込み用ＲＦＩＤタグ９が円周方向の内側につぶれた場合、つぶれ方によってはアンテナ３の両端が短絡するおそれがある。そこで、このような不具合を回避するために、外皮カバー１２の所定の箇所に溝１３ａ及び溝１３ｂ（図９参照）を設けて外皮カバー１２（つまり、生体植込み用ＲＦＩＤタグ９）のつぶれる方向を一定の方向に規制する。
【００３９】
図９（ａ）は、第３の実施形態の別の形態に適用される生体植込み用ＲＦＩＤタグ９の断面図であり、(ｂ)は（ａ）の生体植込み用ＲＦＩＤタグ９がつぶれたときの断面図である。すなわち、軸や中空軸を使用しない場合は、外皮カバー１２の所定の位置（つまり、外皮カバー１２の内側に存在するアンテナ３の両端部分に対して円周上で対称となる外皮カバー１２の位置）に溝１３ａ及び溝１３ｂを形成する。これによって、生体植込み用ＲＦＩＤタグ９のつぶれる方向は、溝１３ａ、１３ｂの部分を中心にして円周上で対称的につぶれる。
【００４０】
すなわち、図９（ｂ）に示すように、生体植込み用ＲＦＩＤタグ９は、溝１３ａ、１３ｂの部分を中心にして円周上において上下対称になるようにつぶれるため、アンテナ３の両端が短絡するおそれはない。言い換えると、外皮カバー１２の所定の位置に溝１３ａ、１３ｂを形成することによって、生体植込み用ＲＦＩＤタグ９の全体がつぶれたときにアンテナ３の両端が短絡しない方向につぶれやすくすることができる。
【００４１】
《第４の実施形態》
第４の実施形態では、第１の実施の形態乃至第３の実施の形態で製造された生体植込み用ＲＦＩＤタグ９を流通させるための梱包形態について説明する。前記したように、生体植込み用ＲＦＩＤタグ９は、直径が１ｍｍで長さが７ｍｍ程度であって非常に小さいことと、マウスなどの小型動物の皮下に植え込むためには注射器などが必要であるので、生体植込み用ＲＦＩＤタグ９と注射器とを一体にした梱包形態が必要となる。したがって、それを考慮した梱包形態の構成について説明する。
【００４２】
図１０は、本発明の第４の実施形態における生体植込み用ＲＦＩＤタグ９と注射針（注射器）１９からなる挿入冶具体の梱包概念図である。図１０に示す挿入冶具体は、カバー１４の内部に生体植込み用ＲＦＩＤタグ９と注射針１５が収納され、ピストン１６とストッパ１７の部分はカバー１４から外部に露出している。基本的には、この挿入冶具体は、ピストン１６、注射針１５、カバー１４、及び生体植込み用ＲＦＩＤタグ９の４パーツから構成されている。一方、従来から流通している既存の注射器を使用した挿入冶具体の場合は、ピストン、シリンジ（本体）、針、カバー、及び生体植込み用ＲＦＩＤタグからなる５パーツで構成されているので、本発明に適用される挿入冶具体の方が部品点数は少なくとも１点は少なくなる。
【００４３】
図１０に示す挿入冶具体の梱包形態についてさらに詳しく説明する。カバー１４の内部で生体植込み用ＲＦＩＤタグ９と注射針１５を分離している理由は、金属製の注射針１５と生体植込み用ＲＦＩＤタグ９をインシュレートすることにより、工場出荷時や生体への植え込み時において生体植込み用ＲＦＩＤタグ９の通信テストをしやすくしているためである。また、この挿入冶具体は、生体植込み用ＲＦＩＤタグ９と注射器（つまり、注射針１５及びピストン１６）を図１０のように組み合わせてカバー１４に収納した後に滅菌処理を施すため、第１の実施形態で前記したように、放射線や高温加熱による滅菌処理を行っても生体植込み用ＲＦＩＤタグ９のデータが消えないような構造になっている。さらに、この挿入冶具体は、感染等を防ぐために、１匹ごとの小型動物に生体植込み用ＲＦＩＤタグ９を植え込んだ後は、注射針１５も含めて全て使い捨てとすることを前提としているので、シリンジをなくして、従来より部品点数を１点でも少なくして低価格化を図っている。
【００４４】
次に、図１０に示す挿入冶具体の使用方法について説明する。ユーザは、図１０に示す挿入冶具体を使用するときは、カバー１４を注射針１５側へ押し込んで生体植込み用ＲＦＩＤタグ９を注射針１５の内部に挿入した後、カバー１４を取り除く。そして、注射針１５を小型動物の皮下に差し込み、ピストン１６に付設されたストッパ１７で止まるまでそのピストン１６を注射針１５の方向へ押す。これによって、生体植込み用ＲＦＩＤタグ９は小型動物の皮下に移植されるので、注射針１５を小型動物の皮下から抜き、その注射針１５を含めた挿入冶具体の全てを破棄する。
【００４５】
図１１は、本発明の第４の実施形態の別形態で適用される生体植込み用ＲＦＩＤタグ９と注射針をブリスタ包装した構成を示す概念図である。なお、ブリスタ１８とは、ＰＥＴ樹脂などで構成された成形容器であり、また、ブリスタ包装とは、ブリスタ（成形容器）１８と台紙もしくはフィルムとを、熱溶着または接着剤によって密封した包装形態をいう。
【００４６】
図１１において、あらかじめ成形されたブリスタ１８の収納容器に注射針１９と生体植込み用ＲＦＩＤタグ９を収納し、プラスチック（例えば、ＰＥＴ樹脂）などからなるフィルムを熱溶着などによって密封して蓋２０を形成してブリスタ包装を行う。なお、生体植込み用ＲＦＩＤタグ９は注射針１９の針側に配置された状態でブリスタ包装されている。
【００４７】
このようにして、注射針１９と生体植込み用ＲＦＩＤタグ９を一体的に包装したブリスタ包装の状態で流通させることにより、既存の包装インフラを活用することができるので、流通形態において低価格化を図ることができる。
【００４８】
また、ユーザが生体植込み用ＲＦＩＤタグ９を使用するときには、ブリスタ包装から蓋２０を剥がした後、注射針１９と生体植込み用ＲＦＩＤタグ９がブリスタ１８に収納された状態のまま、注射針１９を生体植込み用ＲＦＩＤタグ９の方向へ移動させて、生体植込み用ＲＦＩＤタグ９を注射針１９の内部に挿入させる。これによって、ユーザの手が生体植込み用ＲＦＩＤタグ９や注射針１９に触れることなく、生体植込み用ＲＦＩＤタグ９を注射針１９の内部に装填することができる。なお、生体植込み用ＲＦＩＤタグ９を小型動物の皮下に移植させる方法は前述と同じであるので、その説明は省略する。
【００４９】
《第５の実施形態》
第５の実施形態では、針付き縫合糸によって生体植込み用ＲＦＩＤタグ９を小形動物の皮下に移植する方法について説明する。図１２は、一般的な動物の皮膚の構造図である。皮膚の構造は、表面から順に、表皮層２１、真皮層２２、皮下組織層２３となっていて、その下に筋肉２４が存在している。一般的に云われている皮膚の厚さは、表皮層２１と真皮層２２を合わせた厚さである。マウスなどの小型動物の皮膚の厚さ（つまり、表皮層２１と真皮層２２の合計厚さ）は０．５〜１．０ｍｍであるので、前記の第１の実施形態乃至第３の実施形態で実現されたような直径１ｍｍで長さが７ｍｍ程度の微小な生体植込み用ＲＦＩＤタグ９を皮下組織層２３に移植する必要がある。
【００５０】
そこで、針付きの縫合糸によって生体植込み用ＲＦＩＤタグ９を小形動物の皮下に移植する場合は、次のような幾つかの方法によって移植を行う。図１３は、本発明の第５の実施形態で適用される縫合糸と生体植込み用ＲＦＩＤタグ９の第１の接合方法を示す概念図である。以下の説明では、第２の実施形態で前記した図６及び図７を参照する。
【００５１】
まず、図６（ａ）のインレット１ａを同図（ｂ）の軸１１に巻いて外皮カバー１２のない生体植込み用ＲＦＩＤタグ９ａを構成する。その後、図６（ｃ）に示す外皮カバー１２をやや長めにして生体植込み用ＲＦＩＤタグ９ａを挿入する。さらに、外皮カバー１２の一方の端部から縫合糸２６を挿入する。これによって、図１３に示すように、外皮カバー１２には、生体植込み用ＲＦＩＤタグ９ａが挿入された状態で、一方の端部から縫合糸２６が挿入される。このとき、外皮カバー１２には熱収縮材を使用し、縫合糸２６が挿入された状態で外皮カバー１２をかしめておく。その後、外皮カバー１２の外周から加熱して外皮カバー１２を熱融着させる。これによって、生体植込み用ＲＦＩＤタグ９ａと縫合糸２６を一体的に結合することができる。なお、縫合糸２６に外皮カバー１２と同じ熱可塑性素材を用いて熱融着すれば一層効果的にコーティング処理が施される。
【００５２】
一般的に、針付き縫合糸は医科用及び歯科用として広く市販されているので、図１３の縫合糸２６の他方の端部にはあらかじめ針２７（図１６参照）が取り付けられているものとする。また、針２７は、皮下植え込みに適した長さと湾曲を有するものを使用する。例えば、尖端の断面形状が逆三角形で、全体の形状が強湾曲となった長さ１８ｍｍ、太さ０．４３ｍｍの縫合糸２６付きの針２７を用いる。このような針２７を用いることにより、皮下の適切な深さに挿入されると共に、皮下に沿った方向に生体植込み用ＲＦＩＤタグ９を適正に移植することができる。
【００５３】
なお、針２７付きの縫合糸２６を用いて生体植込み用ＲＦＩＤタグ９を小型動物の皮下に移植した後は、糸に結び目を設けることによって体内での生体植込み用ＲＦＩＤタグ９の移動を防止することができる。さらには、糸の結び目によって生体植込み用ＲＦＩＤタグ９が移植されている位置を目視で確認することができる。
【００５４】
図１４は、本発明の第５の実施形態で適用される縫合糸２６と生体植込み用ＲＦＩＤタグ９の第２の接合方法を示す概念図である。図１４に示す第２の接合方法では、図９（ａ）に示すような軸を使用しない生体植込み用ＲＦＩＤタグ９ｂを用いる。この場合は縫合糸２６を生体植込み用ＲＦＩＤタグ９ｂの内部に貫通させて生体植込み用ＲＦＩＤタグ９ｂの軸として用いる。その後、外皮カバー１２の内部に縫合糸２６が貫通された生体植込み用ＲＦＩＤタグ９ｂを挿入して、外皮カバー１２の外周から加熱して外皮カバー１２を熱融着させる。これによって、生体植込み用ＲＦＩＤタグ９ｂと縫合糸２６を一体的に結合することができる。
【００５５】
図１５は、本発明の第５の実施形態で適用される縫合糸２６と生体植込み用ＲＦＩＤタグ９ｃの第３の接合方法を示す概念図である。図１５に示す第３の接合方法が図１４に示す第２の接合方法と異なるところは、縫合糸２６を外皮カバー１２の他方の端部より外部まで貫通させた点である。このようにして、縫合糸２６を外皮カバー１２を通じて貫通させることにより、皮下に沿って生体植込み用ＲＦＩＤタグ９ｃを移植するときに、誤って生体植込み用ＲＦＩＤタグ９ｃを抜き取ってしまうおそれがなくなる。すなわち、生体植込み用ＲＦＩＤタグ９ｃが皮下から他方の縫い出し口へ飛び出してしまったら、縫合糸２６の反対側の端部を引っ張って生体植込み用ＲＦＩＤタグ９ｃを皮下の適正な位置に戻せばよい。
【００５６】
図１６は、本発明の第５の実施形態に適用される針２７付き縫合糸２６と生体植込み用ＲＦＩＤタグ９の接合状態を示す概念図である。図１６のように、あらかじめ針２７の付けられた縫合糸２６に対して生体植込み用ＲＦＩＤタグ９ａを前記の方法で接合することにより、マウスのような小型動物の皮下の適正な深さに生体植込み用ＲＦＩＤタグ９ａを容易に植え込むことができる。
【００５７】
《第６の実施形態》
第６の実施形態ではプリント基板３１に生体植込み用ＲＦＩＤタグを形成してマウスなどの小型動物の皮下に植え込む形態について説明する。図１７は、本発明の第６の実施形態に係る生体植込み用ＲＦＩＤタグに適用されるプリント基板３１の図面であり、図１７（ａ）は側面図、図１７（ｂ）は平面図である。
【００５８】
図１７(ｂ)に示すような、把持部３２と基板部３３からなるＵ字型の形状をしたプリント基板３１を用意する。把持部３２と基板部３３との間の隙間は約１ｍｍであり、基板部３３の幅も約１ｍｍである。なお、把持部３２と基板部３３の間隔は平行ではなく、基板部３３の先端に行くにしたがって間隔が幾分広がっている。また、把持部３２は手で持ちやすい形状になっていればよく、特に幅には制限はない。
【００５９】
また、図１７（ｂ）に示すように、基板部３３の先端部分の針状部３３ａは尖鋭な形状になっており、基板部３３の付根部分には、図１７（ａ）に示すように、Ｖ溝３３ｂが形成されている。そして、針状部３３ａとＶ溝３３ｂとの間には金属蒸着などによってアンテナ３４が形成されている。さらに、アンテナ３４の針状部３３ａ寄りの部分にはＬ型のスリット３５が形成され、そのスリット３５の鉤型部分を跨ぐようにしてＩＣチップ３６が搭載されている。また、アンテナ３４の長さは７ｍｍとなっている。なお、アンテナ３４の幅は基板部３３の幅と同じで１ｍｍである。
【００６０】
さらに、基板部３３の表面は、前述の第１の実施の形態で説明した場合と同様に生体親和性のある樹脂材（図示せず）でコーティングされている。また、ＩＣチップ３６もＲＯＭ型チップで構成されている。すなわち、図１７のように構成されたプリント基板３１は、生体植込み用ＲＦＩＤタグと生体への挿入冶具とを兼ねている。
【００６１】
次に、図１７に示すプリント基板３１を用いて生体植込み用ＲＦＩＤタグをマウスなどの小型動物に皮下に植え込む方法について説明する。ユーザは、プリント基板３１の把持部３２を持って、基板部３３の針状部３３ａから生体の皮下に挿入する。そして、基板部３３がＶ溝３３ｂの付近まで生体の皮下に挿入された後、把持部３２を左右に揺するとＶ溝３３ｂの部分で基板部３３が折れて、アンテナ３４、スリット３５及びＩＣチップ３６からなる生体植込み用ＲＦＩＤタグが生体の皮下に植え込まれた状態となる。
【００６２】
前記したように、把持部３２と基板部３３は平行ではなく、基板部３３が先端に行くにしたがって少しずつ開いているので、基板部３３の針状部３３ａから生体の皮下に挿入するとき、把持部３２の内側エッジが深さガイドとなって、生体の奥部に向かいながら皮下の最適な深さを沿うようにして基板部３３（つまり、生体植込み用ＲＦＩＤタグ）が植え込まれる。このようなプリント基板３１は安価であるので汎用の生体植込み用ＲＦＩＤタグとして利用することができる。
【産業上の利用可能性】
【００６３】
本発明の生体植込み用ＲＦＩＤタグは超小型であるので、バイオや病理学の研究機関などにおいてマウスなどの小型動物の実験管理などに有効に利用することができる。
【図面の簡単な説明】
【００６４】
【図１】本発明の第１の実施形態に係る生体植込み用ＲＦＩＤタグに適用されるインレットの平面図である。
【図２】図１に示すインレットを貼付するための丸棒の斜視図である。
【図３】図２に示す丸棒に対して図１に示すインレットを貼付した状態のＲＦＩＤタグ棒を示す斜視図である。
【図４】（ａ）は図３に示すＲＦＩＤタグ棒の一断面形状のＡ−Ａ断面図であり、（ｂ）は図３に示すＲＦＩＤタグ棒の他の断面形状のＡ−Ａ断面図である。
【図５】図３に示すＲＦＩＤタグ棒に外皮をコーティングした後に切断して形成された本発明の第１の実施形態に係る生体植込み用ＲＦＩＤタグであり、（ａ）は斜視図、（ｂ）は(ａ)のＢ−Ｂ断面図である。
【図６】本発明の第２の実施形態に係る生体植込み用ＲＦＩＤタグの製造工程を説明するための構造図である。
【図７】本発明の第２の実施形態に係る生体植込み用ＲＦＩＤタグであり、（ａ）は斜視図、（ｂ）は(ａ)のＣ−Ｃ断面図である。
【図８】（ａ）は本発明の第３の実施形態に適用される中空軸の斜視図であり、(ｂ)は中空軸のＲＦＩＤタグ棒を外皮カバーに挿入した生体植込み用ＲＦＩＤタグの断面図である。
【図９】（ａ）は本発明の第３の実施形態の別の形態に適用される生体植込み用ＲＦＩＤタグの断面図であり、(ｂ)は（ａ）の生体植込み用ＲＦＩＤタグがつぶれたときの断面図である。
【図１０】本発明の第４の実施形態における生体植込み用ＲＦＩＤタグと注射針からなる挿入冶具体の梱包概念図である。
【図１１】本発明の第４の実施形態の別形態で適用される生体植込み用ＲＦＩＤタグと注射針をブリスタ包装した構成を示す概念図である。
【図１２】一般的な動物の皮膚の構造図である。
【図１３】本発明の第５の実施形態で適用される縫合糸と生体植込み用ＲＦＩＤタグの第１の接合方法を示す概念図である。
【図１４】本発明の第５の実施形態で適用される縫合糸と生体植込み用ＲＦＩＤタグの第２の接合方法を示す概念図である。
【図１５】本発明の第５の実施形態で適用される縫合糸と生体植込み用ＲＦＩＤタグの第３の接合方法を示す概念図である。
【図１６】本発明の第５の実施形態に適用される針付き縫合糸と生体植込み用ＲＦＩＤタグの接合状態を示す概念図である。
【図１７】本発明の第６の実施形態に係る生体植込み用ＲＦＩＤタグに適用されるプリント基板の図面であり、（ａ）は側面図、（ｂ）は平面図である。
【符号の説明】
【００６５】
１      インレットテープ
１ａ    インレット
２      ベースフィルム
２ａ    インレットフィルム
３、３４  アンテナ
４、３５  スリット
５、３６  ＩＣチップ
６    丸棒
６ａ  凹部
７    ＲＦＩＤタグ棒
８、１２  外皮カバー
９、９ａ、９ｂ  生体植込み用ＲＦＩＤタグ
１１  軸
１１ａ  凹部
１１ｂ  中空軸
１２    外皮カバー
１３ａ、１３ｂ  溝
１４    カバー
１５    注射針
１６    ピストン
１７    ストッパ
１８    ブリスタ
１９    注射針
２１    表皮層
２２    真皮層
２３    皮下組織層
２４    筋肉
２６    縫合糸
２７    針
３１    プリント基板
３２    把持部
３３    基板部
３３ａ  針状部
３３ｂ  Ｖ溝
【図１】
2008043302.tif 000003
【図２】
2008043302.tif 000004
【図３】
2008043302.tif 000005
【図４】
2008043302.tif 000006
【図５】
2008043302.tif 000007
【図６】
2008043302.tif 000008
【図７】
2008043302.tif 000009
【図８】
2008043302.tif 000010
【図９】
2008043302.tif 000011
【図１０】
2008043302.tif 000012
【図１１】
2008043302.tif 000013
【図１２】
2008043302.tif 000014
【図１３】
2008043302.tif 000015
【図１４】
2008043302.tif 000016
【図１５】
2008043302.tif 000017
【図１６】
2008043302.tif 000018
【図１７】
2008043302.tif 000019